(57)【要約】【課題】洗面化粧台等のキャビネット内に設置された電気温水器内で漏水が生じた場合、その漏水を早期に発見して被害の拡大を防止することができ、しかもそのために大幅なコストアップをすることもない電気温水器を提供する。【解決手段】電気温水器２０内で漏水が生じた場合、漏水は、ケース下１の底板５の下り勾配に沿って前面の開口部６から流出するため、漏水は人目につきやすくなる。このように漏水を前方に誘導することで、ほとんどコストアップすることなく漏水を早期に発見して被害の拡大を防止することができる。【選択図】　図３
2004028537.tif 000002
【特許請求の範囲】
【請求項１】
貯湯タンクを囲繞するケースを備えた電気温水器であって、前記ケースの底面に後部から前部へ向かう下り勾配を持たせるともに、前記ケースの底面と前面との接合部に前記ケース内で発生した漏水を外部へ排出するための開口部を備えたことを特徴とする電気温水器。
【請求項２】
貯湯タンクを囲繞するケースを備えた電気温水器の下部に設置される電気温水器用防水パンであって、底面が後部から前部へ向かう下り勾配を有するとともに、底面の前部に開口部を備えたことを特徴とする電気温水器用防水パン。
【発明の詳細な説明】
【０００１】
【発明の属する技術分野】
本発明は、貯湯タンクを囲繞するケースを備えた電気温水器に関し、特に洗面化粧台等のキャビネット内に設置される場合に好適な電気温水器に関するものである。
【０００２】
【従来の技術】
従来の電気温水器の外郭構造を、図８にて説明する。図示しない貯湯タンクを囲繞する電気温水器２６の外郭は、図示するような形状に折り曲げ加工された上ケース１１および下ケース１２と、裏板１３、前パネル１４で構成されている。電気温水器２６の組み立ては、下ケース１２に貯湯タンク等を取り付けるなどした後に、上ケース１１などをネジ穴１５を介して図示しないネジで締結することにより完了する。
【０００３】
図９は、電気温水器２６を洗面化粧台のキャビネット２２内に収納した状態を示す図である。図９に示すように、電気温水器２６は、キャビネット底板２３の上に設置される。そして通常は、電気温水器２６は扉２７で隠されている。
【０００４】
【発明が解決しようとする課題】
図９のように電気温水器がキャビネット内に設置された場合、もし、電気温水器内で漏水が生じると、漏れた水が電気温水器のケースのどこかの隙間から、キャビネット内に流出する。流出した水は、毛細管現象により電気温水器底面とキャビネット底板の間に滞留し、この滞留量が増加すると、キャビネットの外部にまで流出していく。その際、漏れ出した場所やキャビネットの施工状態によっては、キャビネット外に流出する方向が定まらず、特にキャビネットの後部から外部に漏水するようになると発見が大幅に遅れ、漏水による被害が拡大する恐れがある、という問題があった。対策として、漏水を検知して使用者に知らせる漏水検知器を設置することが考えられるが、この場合は、コストが大幅にアップしてしまう。
【０００５】
本発明は、上記課題を解決するためになされたもので、本発明の目的は、洗面化粧台等のキャビネット内に設置された電気温水器内で漏水が生じた場合、その漏水を早期に発見して被害の拡大を防止することができ、しかもそのために大幅なコストアップをすることもない電気温水器を提供することにある。
【０００６】
【課題を解決するための手段およびその作用・効果】
上記目的を達成するために請求項１は、貯湯タンクを囲繞するケースを備えた電気温水器であって、前記ケースの底面に後部から前部へ向かう下り勾配を持たせるともに、前記ケースの底面と前面との接合部に前記ケース内で発生した漏水を外部へ排出するための開口部を備えた。よって、電気温水器内で漏水が生じた場合、その漏水はケース底面の下り勾配に沿って前面の開口部から流出するようになるため、漏水が人目につきやすくなる。このように漏水を前方に誘導することで、ほとんどコストアップすることなく漏水を早期に発見して被害の拡大を防止することができる。
【０００７】
請求項２は、貯湯タンクを囲繞するケースを備えた電気温水器の下部に設置される電気温水器用防水パンであって、底面が後部から前部へ向かう下り勾配を有するとともに、底面の前部に開口部を備えた。よって、電気温水器内で漏水が生じた場合、その漏水は防水パンの下り勾配に沿って前面の開口部から流出するようになるため、漏水が人目につきやすくなる。このように簡単な構造の防水パンを追加するだけで、電気温水器からの漏水を早期に発見して被害の拡大を防止することができる。
【０００８】
【発明の実施の形態】
以下、本発明の実施の形態を、図面により詳細に説明する。
【０００９】
図１は、本発明の一実施形態に係る電気温水器の外郭構造を示す図である。図示しない貯湯タンクを囲繞する電気温水器２０の外郭は、図示するような形状に折り曲げ加工されたケース下１とケース左２とケース右３と、前パネル４で構成されている。電気温水器２０の組み立ては、ケース下１に貯湯タンク等を取り付けるなどした後に、ケース左２などをネジ穴８を介して図示しないネジで締結することにより完了する。なお、前パネル４には、使用者が操作するための図示しない操作部などが設けられており、電気温水器２０は、この面が前面になるように設置される。
【００１０】
図２は、ケース下１の断面図である。図２に示すように、ケース下１の底板５は、後部（図の右側）から前部（図の左側）へ向かう下り勾配を有しており、脚部９、１０で床に接地する。また、図１に示すように、ケース下１の底板５の前部は、立ち上げ部１９で前パネル４と接するが、一部に開口部６を設けている。なお、ケース下１後部の折り曲げ部の突合せ部７には、この部分から水が漏れないようにシリコン塗布等の水漏れ防止処理が行なわれている。
【００１１】
図３は、上記した外郭構造をもつ電気温水器２０を、洗面化粧台のキャビネット２２内に収納した状態を示す図である。図３に示すように、電気温水器２０は、キャビネット底板２３の上に設置される。そして通常は、電気温水器２０は扉２７（図８参照）で隠されている。このように設置された電気温水器２０内で漏水が生じた場合を想定する。漏水は、ケース下１の底板５の下り勾配（図２参照）に沿って前面の開口部６（図１参照）から流出するため、漏水は人目につきやすくなる。このように漏水を前方に誘導することで、ほとんどコストアップすることなく漏水を早期に発見して被害の拡大を防止することができる。
【００１２】
なお、漏水をキャビネット２２の前方へ導いて扉２７との隙間から排出させるようにすれば、使用者が扉２７を開けなくても漏水を発見できるので、図４に示すような導水板２１を電気温水器２０の前部に取り付けるようにしてもよい。導水板２１は、図４に示すようにコの字形状をしており、独立発泡パッキンなどで形成された逆流防止シート２４が、その後部に接着剤または両面テープで固定されている。
【００１３】
図５は、図３に示した電気温水器２０に導水板２１を取り付けた状態を示す図である。図５において、電気温水器２０の前方の下面と、逆流防止シート２４の上面とが、接着剤または両面テープで固定されている。逆流防止シート２４は、電気温水器２０の前面の開口部６（図１参照）からの漏水が、後方へ向かうことを防止する役割を果たす。このため、キャビネット底板２３が水平ではない場合、例えば、前部から後部へ向かう下り勾配を有していたとても、漏水は確実に前方から排出される。
【００１４】
図６は、本発明の別の実施形態に係る電気温水器用の防水パン２５の構造を示す図である。防水パン２５は、図１および図２に示したケース下１と類似した形状をしており、具体的には、底板が後部から前部へ向かう下り勾配を有するとともに前部に開口部を備えている。この防水パン２５を、図７に示すように従来の電気温水器２６の下に設置すれば、図３や図５の例と同様に、漏水を前方に誘導することができるので、漏水を早期に発見して被害の拡大を防止することができる。
【図面の簡単な説明】
【図１】本発明の一実施形態に係る電気温水器の外郭構造を示す図
【図２】ケース下１の断面図
【図３】電気温水器２０をキャビネット２２内に収納した状態を示す図
【図４】導水板２１の構造図
【図５】電気温水器２０に導水板２１を取り付けた状態を示す図
【図６】本発明の別の実施形態に係る防水パン２５の構造を示す図
【図７】防水パン２５を電気温水器２６の下に設置した状態を示す図
【図８】従来の電気温水器の外郭構造を示す図
【図９】従来の電気温水器をキャビネット２２内に収納した状態を示す図
【符号の説明】
１…ケース下
２…ケース左
３…ケース右
４…前パネル
５…底板
６…開口部
７…突合せ部
８…ネジ穴
９…脚部
１０…脚部
１１…上ケース
１２…下ケース
１３…裏板
１４…前パネル
１５…ネジ穴
１９…立ち上げ部
２０…電気温水器
２１…導水板
２２…キャビネット
２３…キャビネット底板
２４…逆流防止シート
２５…防水パン
２６…電気温水器
２７…扉
【図１】
2004028537.tif 000003
【図２】
2004028537.tif 000004
【図３】
2004028537.tif 000005
【図４】
2004028537.tif 000006
【図５】
2004028537.tif 000007
【図６】
2004028537.tif 000008
【図７】
2004028537.tif 000009
【図８】
2004028537.tif 000010
【図９】
2004028537.tif 000011